(57)【要約】【課題】本考案の課題は、防水性や遮音性や密閉性を向上させた扉を提供することである。【解決手段】両開き扉１００は、先開き扉１０ａと後開き扉１０ｂを有している。後開き扉１０ｂの戸先側に召合せ部５が戸先に対して平行に設けられる。先開き扉１０ａの戸先側に召合せ部３ｂと召合せシール部３ａが戸先に対して平行に設けられる。後開き扉１０ｂの召合せ部５の上端または下端の少なくとも一方に、召合せ補強部５ａ、５ｂ設けられる。召合せ補強部５ａ、５ｂは、先端に向けて薄くなる金属性の板状部材である。【選択図】図１
0003227328.tif 000002
【実用新案登録請求の範囲】
【請求項１】
先開き扉と
後開き扉を有し、
前記後開き扉の戸先側に召合せ部が戸先に対して平行に設けられ、
前記先開き扉の戸先側に召合せ部と召合せシール部が戸先に対して平行に設けられ、
前記後開き扉の前記召合せ部の上端または下端の少なくとも一方に、召合せ補強部が設けられ、
前記召合せ補強部は、先端に向けて薄くなる金属製の板状部材である、両開き扉。
【考案の詳細な説明】
【技術分野】
【０００１】
本考案は、扉に関し、特に、防水性や遮音性や密閉性を向上させた扉に関する。
【背景技術】
【０００２】
従来、召合せ部上下方向両端での扉と 扉枠との密閉を高くし、密閉性が高い両開き扉装置が知られている（例えば、特許文献１）。
【先行技術文献】
【特許文献】
【０００３】
【特許文献１】特開２０１１−９４３３２
【考案の概要】
【考案が解決しようとする課題】
【０００４】
しかし、特許文献１に記載された両開き扉装置には、防水性に改良の余地がある。
【０００５】
本考案は、防水性や遮音性や密閉性を向上させた扉を提供することである。
【課題を解決するための手段】
【０００６】
上記目的は、
先開き扉（１０ａ）と
後開き扉（１０ｂ）を有し、
前記後開き扉の戸先側に召合せ部（５）が戸先に対して平行に設けられ、
前記先開き扉の戸先側に召合せ部（３ｂ）と召合せシール部（３ａ）が戸先に対して平行に設けられ、
前記後開き扉の前記召合せ部の上端または下端の少なくとも一方に、召合せ補強部（５ａ、５ｂ）設けられ、
前記召合せ補強部は、先端に向けて薄くなる金属製の板状部材である、両開き扉（１００）、によって達成される。
【０００７】
また、上記目的は、召合せ補強部（５ａ、５ｂ）は、突起部（５ｂｂ）を有し、前記先開き扉（１０ａ）と前記後開き扉（１０ｂ）を閉じた状態において、前記召合せ補強部（５ａ、５ｂ）は、前記召合せシール部（３ａ）に重なる部分と重ならない部分があり、突起部（５ｂｂ）は、該召合せシール部に重ならない部分である、上記の両開き扉（１００）、によって達成される。
【０００８】
また、上記目的は、前記召合せ補強部（５ａ、５ｂ）の厚みは、先端方向に向けて薄くなる、上記の両開き扉（１００）、によっても達成される。
【考案の効果】
【０００９】
本考案によれば、防水性や遮音性や密閉性を向上させた扉を提供できる。
【図面の簡単な説明】
【００１０】
【図１】本考案の実施形態による両開き扉１００を説明する図である。
【図２】本考案の実施形態による両開き扉１００に設けられる召合せ補強部５ｂの６面図である。
【図３】本考案の実施形態による両開き扉１００の召し合せ構造を説明する図である。
【図４】本考案の実施形態による両開き扉１００の召し合せ構造を説明する図である。
【考案を実施するための形態】
【００１１】
以下、図１〜図４を用いて、本考案の実施形態の両開き扉１００を説明する。なお、以下の全ての図面においては、理解を容易にするため、各構成要素の寸法や比率などは適宜異ならせて図示している。
【００１２】
図１は、本考案の実施形態による両開き扉１００を建物に設置した状態の略図である。本考案の実施形態による両開き扉１００は、主に、先開き扉１０ａ、後開き扉１０ｂと先開き扉１０ａ、後開き扉１０ｂを建物に設置するための扉枠（不図示）と左右の扉枠の夫々に先開き扉１０ａ、後開き扉１０ｂを回転可能に取り付けるヒンジ（不図示）、扉の開閉を行うための開閉ハンドル、および扉をロックするロック機構（不図示）を有する構成である。また、扉枠と先開き扉１０ａ、後開き扉１０ｂが接する面の扉枠側には、密封性は水密性を高めるためのシール（上枠シール７ａ、下枠シール７ｂ、左枠シール（不図示）、右枠シール（不図示））が設けられる。
【００１３】
先開き扉１０ａの戸先に召合せ部３ｂが設けられ、後開き扉１０ｂの戸先に召合せ部５が設けられている。召合せ部３ｂには、召合せシール３ａが設けられ、召合せシール３ａに召合せ部５が当接することで、防水性や遮音性や密閉性を高める構成である。召合せ部３ｂ、５は、金属で構成されるが、防錆の観点においてステンレス鋼材で構成されるのが好ましい。また、召合せシール３ａには、タイトゴムが用いられる。
【００１４】
後開き扉１０ｂの召合せ部５の上端および下端には、召合せ補強部５ａ、５ｂが設けられる。召合せ補強部５ａ、５ｂは、金属の薄板状で構成されるが、防錆の観点においてステンレス鋼材の薄板状で構成されるのが好ましい。また、召合せ補強部５ａ、５ｂの横幅は、召合せ部３の横幅と略同一の長さであるが、召合せ部３の横幅を１とした場合に、召合せ補強部５ａ、５ｂの横幅は、１以上が好ましい。なお、召合せ補強部５ａ、５ｂの少なくとも一方が召合せ部５に設けられる場合があってもよい。
【００１５】
本実施形態による両開き扉１００は、後開き扉１０ｂの召合せ部５の上端および下端に設けられた金属製の召合せ補強部５ａ、５ｂを先開き扉１０ａの召合せ部３ｂおよび召合せシール３ａと扉枠に設けられた上枠シール７ａ、下枠シール７ｂとで挟持するように構成される。
【００１６】
図２は、召合せ補強部５ｂの６面図である。なお、召合せ補強部５ａは、召合せ補強部５ｂの線対称の形状であるため、図面およびその説明を省略する。
【００１７】
召合せ補強部５ｂは、上端、右端、および左端が直線状であり、下端側に突起部５ｂｂを有している。突起部５ｂｂの横の長さは、上端の横幅を１とした場合に、１／５〜２／５の範囲となるように形成され、突起部５ｂｂの縦の長さは、左端の長さを１とした場合に、２／５〜３／５の範囲となるように形成されるのが好適であるが、突起部５ｂｂの横、縦の長さは、これら以外であってもよい。
【００１８】
図２に示すように、召合せ補強部５ｂは、正面が平面形状で形成され、背面が上から下、および左から右（正面視では右から左）に向けて傾斜する傾斜面で形成される（背面図において勾配を→にて示している。）。召合せ補強部５ｂは、正面視において、上端の厚みが最も厚く、左下のコーナー部分（下に向けて湾曲している部分）と突起部５ｂｂの左下のコーナー部分（下に向けて湾曲している部分）の厚みが最も薄くなりエッジ形状となっている。なお、本実施形態における召合せ補強部５ｂの最も厚い箇所の厚みは５ｍｍ程度であり、最も薄い箇所の厚みを０．５ｍｍ以下であるが、上述の最も薄い箇所の厚みを上端の厚みよりも薄くするのが好適であり、これら以外の場合があってももちろんよい。なお、召合せ補強部５ｂは、金属製の先端に向けて薄くなる（正面視において、上端から下端、および右端から左端に向けて薄くなる）板状であればよく、突起部５ｂｂを有しない略四角形の形状で構成される場合があってもよい。このような場合であっても、防水性や遮音性や密閉性を高めることが可能である。
【００１９】
図３の上部に示す図は、両開き扉１００を閉じた状態における召合せ補強部５ｂの付近を水平方向に切断した状態をしたから見た断面図であり、図３の下部に示す図は、両開き扉１００を閉じた状態における召合せ補強部５ｂの付近を正面から見た状態の略示図である。
【００２０】
図４の左に示す図は、両開き扉１００を閉じた状態における召合せ補強部５ｂの左側面状態の略示図であり、図４の右に示す図は、両開き扉１００を閉じた状態における召合せ補強部５ｂの正面状態の略示図である。
【００２１】
図３、図４に示すように、両開き扉１００を閉じた状態において、召合せ補強部５ｂの右方の領域は、召合せシール３ａが当接しない領域であり、召合せシール３ａが当接しない領域に突起部５ｂｂが形成される。また、補強部５ｂの下方の領域は、下枠シール７ｂが当接する領域である。
【００２２】
図４の右方に示すように、召合せ補強部５ｂの下端における突起部５ｂｂの左端と召合せシール３ａの右端の間に１〜５ｍｍ（本実施形態では３ｍｍ程度）の隙間が生じるように構成される。召合せ補強部５ｂの突起部５ｂｂによって、この隙間に下枠シール７ｂが入り込ませることが可能となり、両開き扉１００の防水性や遮音性や密閉性をより高めている。
【００２３】
このように、本考案の実施形態による両開き扉１００は、金属製の召合せ補強部５ａ、５ｂによって、召合せ部の防水性や遮音性や密閉性を高める効果を有している。
【００２４】
上述の実施形態は、本考案の好適な一例であるので、技術的に好ましい種々の限定が付されているが、本考案の範囲は、上述の説明によって不当に限定されるものではない。また、上述の実施形態で説明される構成の全てが本考案の必須の構成要件ではない。また、上述の実施形態で説明される構成は相互に付け足したり組み合わせたりしてもよい。
【産業上の利用可能性】
【００２５】
本考案は、召合せ構造の扉や戸において広く利用可能である。
【符号の説明】
【００２６】
１００  両開き扉
１０ａ  先開き扉
１０ｂ  後開き扉
３ｂ、５  召合せ部
３ａ  召合せシール
５ａ、５ｂ  召合せ補強部
５ｂｂ  突起部
７ａ  上枠シール
７ｂ  下枠シール
【図１】
0003227328.tif 000003
【図２】
0003227328.tif 000004
【図３】
0003227328.tif 000005
【図４】
0003227328.tif 000006